(57)【要約】【課題】シール紙に印刷された画像に適度な透明感をもたせる。【解決手段】シール紙を出力する写真シール作成装置において、撮影処理部は、利用者を被写体として撮影を行うことで撮影画像を生成し、印刷処理部は、透光性を有するシール紙に撮影画像を印刷して出力する。シール紙は、シール台紙と、シール台紙に貼着されたシールシートとから構成され、シール台紙およびシールシートの少なくともいずれか一方は半透明である。本技術は、写真シール作成装置に適用することができる。【選択図】図１８
2019109288.tif 000002
【特許請求の範囲】
【請求項１】
シール紙を出力する写真シール作成装置であって、
利用者を被写体として撮影を行うことで撮影画像を生成する撮影処理部と、
透光性を有する前記シール紙に前記撮影画像を印刷して出力する印刷処理部と
を備え、
前記シール紙は、シール台紙と、前記シール台紙に貼着されたシールシートとから構成され、
前記シール台紙および前記シールシートの少なくともいずれか一方は半透明である
写真シール作成装置。
【請求項２】
前記印刷処理部は、前記シール紙に、下地となる不透明な下地画像を印刷することなく、前記撮影画像を印刷する
請求項１に記載の写真シール作成装置。
【請求項３】
前記シールシートは半透明である
請求項１または２に記載の写真シール作成装置。
【請求項４】
前記シールシートは、白色系の色である
請求項３に記載の写真シール作成装置。
【請求項５】
前記撮影画像において、白色系の色の領域を顕示する顕示手段をさらに備える
請求項１乃至４のいずれかに記載の写真シール作成装置。
【請求項６】
前記顕示手段は、撮影が行われる撮影空間において、前記利用者の背景に設けられる白色系の背面パネルである
請求項５に記載の写真シール作成装置。
【請求項７】
前記顕示手段は、撮影の際に、前記利用者の身体の少なくとも一部を所定の方向から照射する照明装置である
請求項５に記載の写真シール作成装置。
【請求項８】
前記顕示手段は、前記撮影画像における背景領域に、クロマキ合成により白色系の背景画像を合成する画像処理部である
請求項５に記載の写真シール作成装置。
【請求項９】
透光性を有しない不透明シール紙に前記撮影画像が印刷される場合と比べて、前記撮影画像のコントラストを高くするよう調整する画像処理部をさらに備える
請求項１乃至８のいずれかに記載の写真シール作成装置。
【請求項１０】
前記印刷処理部は、透光性を有しない不透明シール紙に前記撮影画像が印刷される場合と比べて、印刷濃度を高くするよう調整して、透光性を有する前記シール紙に前記撮影画像を印刷する
請求項１乃至９のいずれかに記載の写真シール作成装置。
【請求項１１】
前記シール台紙は透明である
請求項１乃至１０のいずれかに記載の写真シール作成装置。
【請求項１２】
前記シール台紙は半透明である
請求項１乃至１０のいずれかに記載の写真シール作成装置。
【請求項１３】
前記シールシートは透明であり、
前記シール台紙は半透明である
請求項１に記載の写真シール作成装置。
【請求項１４】
シール紙を出力する写真シール作成装置が、
利用者を被写体として撮影を行うことで撮影画像を生成し、
透光性を有する前記シール紙に前記撮影画像を印刷して出力する
ステップを含み、
前記シール紙は、シール台紙と、前記シール台紙に貼着されたシールシートとから構成され、
前記シール台紙および前記シールシートの少なくともいずれか一方は半透明である
印刷方法。
【請求項１５】
コンピュータに、
利用者を被写体として撮影を行うことで撮影画像を生成し、
透光性を有するシール紙に前記撮影画像を印刷して出力する
処理を実行させ、
前記シール紙は、シール台紙と、前記シール台紙に貼着されたシールシートとから構成され、
前記シール台紙および前記シールシートの少なくともいずれか一方は半透明である
プログラム。
【発明の詳細な説明】
【技術分野】
【０００１】
本技術は、写真シール作成装置、印刷方法、およびプログラムに関し、特に、シール紙に印刷された画像に適度な透明感をもたせることができるようにする写真シール作成装置、印刷方法、およびプログラムに関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
通常、写真シール機においては、白色で不透明なシール紙に撮影画像が印刷されるが、透明なシール紙に撮影画像を印刷する写真シール機も提案されている。
【０００４】
例えば、特許文献１には、透明なシール紙に、下地無しの透明画像と、下地有りの不透明画像を印刷できるようにした技術が開示されている。特許文献１の技術によれば、人物領域を下地有り画像とすることで、貼り付け対象となる物体表面の色や模様によらず、その人物領域を綺麗に発色させてはっきりと美しくみせることができる。
【先行技術文献】
【特許文献】
【０００５】
【特許文献１】特開２００５−１６７７８１号公報
【発明の概要】
【発明が解決しようとする課題】
【０００６】
しかしながら、下地有り画像は、透明なシール紙に印刷されているにもかかわらず、不透明なシール紙に印刷された場合の見た目と同じ印象しか与えられなかった。一方で、透明なシール紙に印刷される画像を全て下地無し画像とした場合、シール紙の後方にある物体表面の色や模様によっては、画像の細かい部分が見えにくくなったり、画像全体の印象が本来のものとは異なったりするおそれがあった。このように、従来の写真シール機において、シール紙に印刷された画像に適度な透明感をもたせることは考えられていなかった。
【０００７】
本技術は、このような状況に鑑みてなされたものであり、シール紙に印刷された画像に適度な透明感をもたせることができるようにするものである。
【課題を解決するための手段】
【０００８】
本技術の写真シール作成装置は、シール紙を出力する写真シール作成装置であって、利用者を被写体として撮影を行うことで撮影画像を生成する撮影処理部と、透光性を有する前記シール紙に前記撮影画像を印刷して出力する印刷処理部とを備え、前記シール紙は、シール台紙と、前記シール台紙に貼着されたシールシートとから構成され、前記シール台紙および前記シールシートの少なくともいずれか一方は半透明である。
【０００９】
本技術の印刷方法は、シール紙を出力する写真シール作成装置が、利用者を被写体として撮影を行うことで撮影画像を生成し、透光性を有する前記シール紙に前記撮影画像を印刷して出力するステップを含み、前記シール紙は、シール台紙と、前記シール台紙に貼着されたシールシートとから構成され、前記シール台紙および前記シールシートの少なくともいずれか一方は半透明である。
【００１０】
本技術のプログラムは、コンピュータに、利用者を被写体として撮影を行うことで撮影画像を生成し、透光性を有するシール紙に前記撮影画像を印刷して出力する処理を実行させ、前記シール紙は、シール台紙と、前記シール台紙に貼着されたシールシートとから構成され、前記シール台紙および前記シールシートの少なくともいずれか一方は半透明である。
【００１１】
本技術の一側面においては、利用者を被写体として撮影を行うことで撮影画像が生成され、透光性を有する前記シール紙に前記撮影画像が印刷されて出力される。前記シール紙は、シール台紙と、前記シール台紙に貼着されたシールシートとから構成され、前記シール台紙および前記シールシートの少なくともいずれか一方は半透明とされる。
【発明の効果】
【００１２】
本技術によれば、シール紙に印刷された画像に適度な透明感をもたせることが可能となる。
【００１３】
なお、ここに記載された効果は必ずしも限定されるものではなく、本開示中に記載されたいずれかの効果であってもよい。
【図面の簡単な説明】
【００１４】
【図１】本技術の写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】床材を示す斜視図である。
【図８】編集ユニットの正面の構成例を示す図である。
【図９】編集ユニットの側面の構成例を示す図である。
【図１０】写真シール作成装置の構成例を示すブロック図である。
【図１１】写真シール作成装置の機能構成例を示すブロック図である。
【図１２】背面ストロボの配置位置について説明するための図である。
【図１３】背面ストロボの配置位置について説明するための図である。
【図１４】最適撮影位置を利用者に提示する画面の一例である。
【図１５】背面ストロボによる効果を説明するための図である。
【図１６】背面ストロボによる効果を説明するための図である。
【図１７】本技術の写真シール作成装置の機能構成例を示すブロック図である。
【図１８】撮影画像が印刷された半透明シール紙の例を示す図である。
【図１９】半透明シール紙の構成例を示す図である。
【図２０】印刷処理の流れについて説明するフローチャートである。
【図２１】半透明シール紙の他の構成例を示す図である。
【図２２】半透明シール紙の他の構成例を示す図である。
【図２３】背景画像のクロマキ合成について説明する図である。
【発明を実施するための形態】
【００１５】
以下に、本技術を実施するための形態（以下、実施の形態という）について説明する。
【００１６】
＜写真シール作成装置の外観＞
図１および図２は、写真シール作成装置１の外観の構成例を示す斜視図である。
【００１７】
写真シール作成装置１は、撮影画像や編集画像を提供するゲーム機である。写真シール作成装置１は、画像をシール紙に印刷したり、画像を利用者の携帯端末上で閲覧可能にしたりすることで、利用者に画像を提供する。写真シール作成装置１は、ゲームセンターなどのアミューズメント施設や店舗に設置される。
【００１８】
写真シール作成装置１の利用者は、主に女子高生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００１９】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００２０】
写真シール作成装置１は、写真作成ゲームを提供する写真作成ゲーム機ということができる。
【００２１】
図１に示すように、写真シール作成装置１は、基本的に、撮影ユニット１１と編集ユニット１２が接した状態で設置されることによって構成される。撮影ユニット１１と編集ユニット１２は電気的に接続される。
【００２２】
撮影ユニット１１は、人が中に入ることができる程度の大きさを有する箱形状の筐体を有し、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離して設置される。撮影部２１と背景部２２の間に形成される空間が、撮影処理が行われる撮影空間となる。
【００２３】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２４】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。
【００２５】
撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置される。なお、事前選択部２０が、側面パネル４１Ｂに設置されるようにしてもよい。
【００２６】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００２７】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００２８】
撮影空間の床には、板状の部材である床材２７が敷かれる。
【００２９】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００３０】
撮影空間の上方には、撮影部２１の正面、連結部２３Ａ、および連結部２３Ｂに囲まれた天井が形成される。その天井の一部に、天井シート２４が設けられる。天井シート２４の一端が連結部２３Ａに固定され、他端が連結部２３Ｂに固定される。
【００３１】
天井シート２４は、シート状であっても、板状であっても良い。また、天井シート２４を連結部２３に連結しない、換言すれば、天井シート２４がなく、天井に開口部が形成されているようにしても良い。
【００３２】
また天井シート２４の一部に、通気孔を設けても良い。例えば、図１に示した天井シート２４の両端（連結部２３Ａ側と連結部２３Ｂ側）に四角形状で示した部分を、通気孔としても良い。また、図１に四角形状で示した部分は、光が入射する透明な部材で形成されていても良い。
【００３３】
編集ユニット１２は、撮影画像に編集を施すための装置である。編集ユニット１２は、一方の側面が撮影部２１の正面パネル４２に接するようにして、撮影ユニット１１に連結している。
【００３４】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００３５】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５が設けられる。
【００３６】
編集ユニット１２の上方にはカーテンレール２６が取り付けられる。カーテンレール２６は、３本のレール２６Ａ乃至２６Ｃを、組み合わせて構成される。３本のレール２６Ａ乃至２６Ｃは、上から見たときの形状がコの字状となるように組み合わせられる。平行に設けられるレール２６Ａとレール２６Ｂの一端は、連結部２３Ａと連結部２３Ｂにそれぞれ固定され、レール２６Ａとレール２６Ｂの他端は、レール２６Ｃの両端にそれぞれ接合される。
【００３７】
カーテンレール２６には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３８】
後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００３９】
＜利用者の移動について＞
ここで、写真シール作成ゲームの流れと、それに伴う利用者の移動について説明する。
【００４０】
図３は、写真シール作成装置１を上から見た平面図である。
【００４１】
利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００４２】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。利用者は、撮影部２１に設けられたカメラやタッチパネルモニタなど利用して撮影作業を行う。
【００４３】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００４４】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００４５】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００４６】
印刷待ち空間Ａ３に移動した利用者は、印刷が終わるのを待つ。印刷が終了すると、利用者は、編集ユニット１２の右側面に設けられた排出口から排出されたシール紙を受け取り、一連の写真シール作成ゲームを終える。
【００４７】
次に、各装置の構成について説明する。
【００４８】
＜事前選択部の構成＞
図４は、事前選択部２０の構成例を示す図である。
【００４９】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、利用者の人数の選択などに用いられる画面が表示される。
【００５０】
タッチパネルモニタ７１の下方には、スピーカ７２が設けられる。スピーカ７２は、事前選択処理の案内音声、BGM（Back Ground Music）、効果音などを出力する。スピーカ７２に隣接するようにして、利用者が硬貨を入れる硬貨投入返却口７３が設けられる。
【００５１】
また事前選択部２０のタッチパネルモニタ７１の上側には、ケース７４が設けられている。このケース７４には、例えば、写真シール作成装置１で作成されるシールのサンプルが掲示される。また、ケース７４は、広告として用いることができ、何らかの商品のサンプルや商品説明画像（ポスター）などを掲示することもできる。
【００５２】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００５３】
正面パネル４２の中央よりやや上側には、カメラユニット８１が設けられる。カメラユニット８１の正面には、カメラ９１とタッチパネルモニタ９２が設けられる。
【００５４】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。カメラ９１は、利用者を被写体として撮影を行う撮影部として機能する。
【００５５】
カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００５６】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。
【００５７】
カメラユニット８１の上方には、上ストロボユニット８２が設置される。この上ストロボユニット８２は、３枚のパネル８６−１乃至８６−３（以下、パネル８６−１乃至８６−３を個々に区別する必要がない場合、単にパネル８６と記述する）が備えられ、これらのパネル８６は、正面パネル４２に対して所定の角度を有して設置されている。その角度は、パネル８６の面が、利用者側に向く角度とされている。例えば、図１２に示したように、パネル８６は、正面パネル４２に対しておよそ４５度の角度を有して設置されている。
【００５８】
上ストロボユニット８２は、利用者の正面上方から、利用者の顔および上半身に光を照射する。パネル８６は、取り外すことが可能な構成とされており、詳細は後述するが、パネル８６を取り外すと、内側には、照明用の電球や、撮影時に発光するストロボが配置されている。
【００５９】
カメラユニット８１の下方には、利用者の下半身および足元に光を照射する足元ストロボユニット８３が設けられる。
【００６０】
上ストロボユニット８２および足元ストロボユニット８３は、照明用の電球とストロボ発光可能な照明機器とにより構成される。上ストロボユニット８２および足元ストロボユニット８３は、撮影空間を明るくして、利用者の操作性や安全性を確保するために、撮影空間内を常時照らすとともに、撮影画像の画質を向上させるために、撮影タイミングでストロボ発光し、被写体となる利用者に光を照射する。
【００６１】
足元ストロボユニット８３と側面パネル４１Ａとの間には、箱状部８４が設けられる。また、足元ストロボユニット８３と側面パネル４１Ｂとの間には、箱状部８５が設けられる。箱状部８４，８５の上面は、写真シール作成装置１の設置面と略水平な面をなし、撮影作業を行う利用者が手荷物などを置くための荷物置き場として用いられる。
【００６２】
なお、正面パネル４２の例えば天井付近に、スピーカが設けられ、撮影処理の案内音声、BGM、効果音などが出力される構成としても良い。また、スピーカは、正面パネル４２ではなく、後述する背景部２２に設けられていても良い。ここでは、図６に示すように背景部２２にスピーカが設けられている場合を例に挙げて説明を続ける。
【００６３】
＜背景部の構成＞
図６は、背景部２２の撮影空間Ａ１側の構成例を示す図である。
【００６４】
背面パネル５１の上方には、背面ストロボ１０１−１と背面ストロボ１０１−２が設置されている。背面ストロボ１０１は、利用者、特に利用者の頭部に、利用者の後方かつ上方から光を照射する。
【００６５】
背面ストロボ１０１−１と背面ストロボ１０１−２の間に、スピーカ１０２−１とスピーカ１０２−２が設けられている。スピーカ１０２は、撮影処理の案内音声、BGM、効果音などを出力する。
【００６６】
なお、図６では、２つのスピーカ１０２が設けられている例を示したが、１つのスピーカ１０２が、例えば、背面ストロボ１０１−１と背面ストロボ１０１−２の中間部分に設けられているようにしたり、複数の小型のスピーカ１０２が設けられているようにしたりすることもできる。
【００６７】
背面パネル５１の撮影空間Ａ１側（図中、手前側）の面には、白色のシート１２１が貼り付けられている。ここでは、白色のシート１２１が貼り付けられているとして説明を続けるが、シート１２１の色は、白色に限らず、例えば、明るい灰色などでも良く、反射率の高い色とされる。
【００６８】
また、ここでは、シート１２１が貼り付けられているとして説明を続けるが、壁面自体が白色で塗られていたり、シート状ではなく、白色の板状のパネルが貼り付けられていたりしても良い。
【００６９】
また、カーテンユニットを設置し、そのカーテンユニットに白色のカーテンが巻き取られて収納され、撮影時に、その白色のカーテンが降りてくるような構成としても良い。またカーテンの色は、白色に限らず、例えば、明るい灰色などでも良く、反射率の高い色とすることができる。
【００７０】
＜床の構成＞
図７は、床材２７を示す斜視図である。説明の便宜上、撮影部２１、側面パネル４１Ａなどの図示は省略している。
【００７１】
床材２７の中央、または後方寄りの位置には、横長の長方形の床シート２７Ａが、その長辺が背面パネル５１と略平行になるように貼り付けられる。図７において、背面パネル５１のある方向が撮影空間Ａ１の後方となり、撮影部２１のある方向（白抜き矢印方向）が撮影空間Ａ１の前方となる。
【００７２】
床シート２７Ａには、マーク２８−１とマーク２８−２が印刷されている。マーク２８は、撮影時の立ち位置を利用者毎に誘導するための目印として用いられる。
【００７３】
例えば、利用者の人数が２人であり、上半身が大きく写る画像を撮影（アップ撮影）する場合、カメラ９１に向かって右側に立っている利用者の立ち位置として、マーク２８−１が指定され、左側に立っている利用者の立ち位置として、マーク２８−２が指定される。
【００７４】
図７に示した例では、マーク２８−１には、“ＲＩＧＨＴ”との右を意味する英単語が記載されており、右側に位置する利用者の立ち位置であることを、より明確に示す表示がされている。
【００７５】
同様にマーク２８−２には、“ＬＥＦＴ”との左を意味する英単語が記載されており、左側に位置する利用者の立ち位置であることを、より明確に示す表示がされている。
【００７６】
このマーク２８上に、利用者が位置するときに、利用者に最適に光が照射されるように、背面ストロボ１０１（図６）は、設置されている。このように、最適な写りが得られる位置を、最適撮影位置と適宜記載する。
【００７７】
なお、最適な立ち位置（最適撮影位置）は、ストロボからの光が利用者に対して十分（適切）に照射される位置、カメラ９１の撮影範囲から外れない位置、背景と顔の大きさのバランスがよくなる位置等を意味する。
【００７８】
ところで、写真シール作成装置１は、カメラ９１で撮影された画像に対してトリミングを行い、編集画面に表示される画像を生成する。例えば、図１５に示した画像も、トリミングが行われた後の画像である。
【００７９】
ここで撮影範囲とは、最終的に撮影画像として編集画面に表示される画像の範囲に対応した撮影部２１の撮像素子の範囲であるとして、説明を続けるが、撮影範囲をトリミング前の撮像素子の範囲としてもよい。
【００８０】
床シート２７Ａのマーク２８は、利用者の人数、撮影する画像の画角（範囲）などに応じて、最適な立ち位置を指定することができるような位置に印刷されているようにしても良い。すなわち、マーク２８は、図７に示したように、マーク２８−１とマーク２８−２の２つのマークだけでなく、複数人に対応した複数のマークや、異なる画角毎に対応した複数のマークが印刷されているようにしても良い。また、マーク２８の形状は、図７に示したような四角形状だけでなく、多角形、円形、星形、ハート型など、どのような形状であっても良い。
【００８１】
＜編集ユニットの構成＞
図８は、編集ユニット１２の正面側（編集空間Ａ２−１側）の構成例を示す図である。
【００８２】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００８３】
タブレット内蔵モニタ１３１は、タブレットとディスプレイを積層して構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００８４】
なお、タッチペン１３２Ａを用いた操作とタッチペン１３２Ｂを用いた操作は識別される。適宜、タブレット内蔵モニタ１３１の左側の表示に対してはタッチペン１３２Ａを用いた操作のみが可能とされ、右側の表示に対してはタッチペン１３２Ｂを用いた操作のみが可能とされる。以下、適宜、タッチペン１３２Ａとタッチペン１３２Ｂを区別する必要がない場合、まとめてタッチペン１３２という。
【００８５】
図９は、編集ユニット１２の左側面の構成例を示す図である。
【００８６】
編集ユニット１２の左側面の下側にはシール紙排出口１６１が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１６１から排出される。
【００８７】
＜写真シール作成装置の内部構成＞
図１０は、写真シール作成装置１の構成例を示すブロック図である。図１０において、上述した構成と同じ構成には同じ符号を付してある。重複する説明については適宜省略する。
【００８８】
図１０に示すように、写真シール作成装置１は、PC(Personal Computer)部３０１に対して、事前選択部３０２、撮影部３０４、編集部３０５Ａ，３０５Ｂ、および印刷部３０６が外部入出力インタフェース３０３を介して接続されることによって構成される。情報処理部であるPC部３０１は、例えば編集ユニット１２の筐体内部に搭載される。
【００８９】
PC部３０１を構成するCPU(Central Processing Unit)３１１、ROM(Read Only Memory)３１２、RAM(Random Access Memory)３１３は、バス３１４により相互に接続される。
【００９０】
CPU３１１は、所定のプログラムを実行し、写真シール作成装置１の全体の動作を制御する。ROM３１２は、CPU３１１が実行するプログラムやデータを記憶する。RAM３１２は、CPU３１１が処理するデータやプログラムを一時的に記憶する。
【００９１】
バス３１４には、さらに、入出力インタフェース３１５が接続される。入出力インタフェース３１５には、記憶部３１６、通信部３１７、およびドライブ３１８が接続される。
【００９２】
記憶部３１６は、ハードディスクやフラッシュメモリなどの不揮発性の記憶媒体である。記憶部３１６は、CPU３１１から供給された各種の設定情報などを記憶する。記憶部３１６に記憶されている情報はCPU３１１により適宜読み出される。
【００９３】
通信部３１７は、インターネットなどのネットワークのインタフェースである。通信部３１７は、CPU３１１による制御に従って外部の装置と通信を行う。通信部３１７は、利用者により選択された画像を、例えば写真シール作成装置１の製造メーカが管理する画像取得サイト管理サーバに送信する。通信部３１７から送信された画像は、所定の記憶領域が割り当てられて保存され、画像取得サイト管理サーバにアクセスしてきた携帯端末上で表示されたり、その携帯端末にダウンロードされたりする。
【００９４】
ドライブ３１８には、光ディスクや半導体メモリなどよりなるリムーバブルメディア３１９が適宜装着される。ドライブ３１８によりリムーバブルメディア３１９から読み出されたプログラムやデータは、CPU３１１に供給され、記憶部３１６に記憶されたり、インストールされたりする。
【００９５】
入出力インタフェース３１５には外部入出力インタフェース３０３が接続される。PC部３０１による各部の制御が、外部入出力インタフェース３０３を介して行われる。
【００９６】
事前選択部３０２は、事前選択空間Ａ０にいる利用者を対象とした事前選択処理を実現する。事前選択部３０２は、タッチパネルモニタ７１、スピーカ７２、および硬貨処理部３２１から構成される。
【００９７】
タッチパネルモニタ７１は、PC部３０１による制御に従って各種の選択画面を表示し、選択画面に対する利用者の操作を受け付ける。利用者の操作の内容を表す入力信号はPC部３０１に供給され、各種の設定が行われる。
【００９８】
硬貨処理部３２１は、硬貨投入返却口７３への硬貨の投入を検出する。硬貨処理部３２１は、所定の金額分の硬貨が投入されたことを検出した場合、ゲームの開始を指示する起動信号をPC部３０１に出力する。
【００９９】
撮影部３０４は、撮影空間Ａ１にいる利用者を対象とした撮影処理を実現する。撮影部３０４は、照明装置３３１、カメラ９１、タッチパネルモニタ９２、およびスピーカ１０２から構成される。
【０１００】
照明装置３３１は、撮影空間Ａ１内の各ストロボユニットであり、PC部３０１から供給される照明制御信号に従って発光する。
【０１０１】
カメラ９１は、PC部３０１によるシャッタ制御に従って撮影を行い、撮影によって得られた撮影画像（画像データ）をPC部３０１に出力する。
【０１０２】
編集部３０５Ａは、編集空間Ａ２−１にいる利用者を対象とした編集処理を実現する。編集部３０５Ａは、タブレット内蔵モニタ１３１、タッチペン１３２Ａ，１３２Ｂ、およびスピーカ３４１から構成される。編集部３０５Ｂは、編集空間Ａ２−２にいる利用者を対象とした編集処理を実現し、編集部３０５Ａと同一の構成を有する。なお、以下、編集部３０５Ａ，３０５Ｂを特に区別しない場合には、単に、編集部３０５という。
【０１０３】
タブレット内蔵モニタ１３１は、PC部３０１による制御に従って編集画面を表示し、編集画面に対する利用者の操作を受け付ける。利用者の操作の内容を表す入力信号はPC部３０１に供給され、編集対象となる撮影画像が編集される。
【０１０４】
印刷部３０６は、プリンタ３５１を含むように構成される。プリンタ３５１にはシール紙ユニット３５２が装着される。
【０１０５】
プリンタ３５１は、内蔵するヘッド３６１を駆動し、PC部３０１から供給された印刷データに基づいて、シール紙ユニット３５２に収納されているロール状のシール紙３６３に画像を印刷する。また、プリンタ３５１は、画像を印刷したシール紙３６３をカッター３６２によって所定のカット位置でカットして、シール紙排出口１６１に排出する。
【０１０６】
＜写真シール作成装置の機能構成例＞
図１１は、写真シール作成装置１の機能構成例を示すブロック図である。図１１に示す機能部のうちの少なくとも一部は、CPU３１１により所定のプログラムが実行されることによって実現される。
【０１０７】
写真シール作成装置１においては、事前選択処理部４０１、撮影処理部４０２、編集処理部４０３、および印刷処理部４０４が実現される。
【０１０８】
事前選択処理部４０１は、事前選択部３０２の各部を制御することで、事前選択処理を実行する。事前選択処理により、利用者の人数の選択、背景画像の選択などが行われる。利用者による選択内容を表す情報は撮影処理部４０２に供給される。
【０１０９】
撮影処理部４０２は、撮影部３０４の各部を制御することで撮影処理を行う。撮影処理部４０２は、撮影処理を行うことによって得られた撮影画像のデータを編集処理部４０３に出力する。撮影処理部４０２から編集処理部４０３に対しては、撮影を複数回行うことによって得られた複数枚の撮影画像のデータが供給される。
【０１１０】
編集処理部４０３は、編集部３０５の各部を制御することで編集処理を行う。編集処理には、撮影画像に写る利用者の目の大きさや肌の明るさを調整するための画像処理、撮影画像に対して編集を施すための画像処理などが含まれる。
【０１１１】
編集処理部４０３は、撮影画像の編集を終えた後、編集画像を所定のレイアウトで配置することによって印刷データを生成し、印刷処理部４０４に出力する。
【０１１２】
印刷処理部４０４は、プリンタ３５１に印刷データを出力し、編集画像の印刷を行う。
【０１１３】
＜背面ストロボの構成について＞
上述した構成を有する写真シール作成装置１は、利用者を綺麗に撮影するために、利用者に適切な光が照射されるような構成とされている。ここで、利用者に適切な光が照射されるとは、利用者を綺麗に撮影できる、利用者が所望とした撮影ができる光が照射されることを含む意味である。ここでは、利用者を綺麗に撮影できる光の照射として、利用者の頭部、特に髪の部分を立体的に撮影でき、頭部全体としても立体的に撮影できる光を照射する場合を例に挙げて説明する。
【０１１４】
背面ストロボ１０１は、図１２、図１３に示すような位置に設置されており、利用者の頭部に光を照射し、利用者の髪を立体的に撮影できるような位置に設置されている。
【０１１５】
図１２は、写真シール作成装置１の撮影空間の縦方向（ＸＹ平面）における断面図（撮影空間を横方向から見たときの図）である。図１３は、写真シール作成装置１の撮影空間の横方向（ＸＺ平面）における断面図（撮影空間を上方向から見たときの図）である。
【０１１６】
図１２、図１３において、右側は、正面側であり、撮影部２１が設けられている側である。また図１２において、左側は、背面側であり、背景部２２が設けられている側である。
【０１１７】
背面ストロボ１０１は、図１２に示したように、撮影空間において、背景部２２の上方に取り付けられている。背面ストロボ１０１は、背面パネル５１と約４５度の角度を有し、利用者側に照射面側が向くように設置されている。
【０１１８】
なお、照射面側とは、光が照射される方向の面側であることを意味する。また光が照射される方向を、適宜、照射方向と記述し、照射方向とは、ストロボ筐体が向いている方向であることを意味する。ストロボ筐体は、図２５を参照して後述するように、背面ストロボ１０１内部に設けられているストロボのことである。
【０１１９】
背面ストロボ１０１は、図１３に示したように、撮影空間において、側面と背景部２２が交わる角の部分に取り付けられている。背面ストロボ１０１は、側面と約５５度（背面パネル５１と約３５度）の角度を有し、利用者側に照射面側が向くように設置されている。
【０１２０】
この背面ストロボ１０１の設置位置における角度は、最適撮影位置に利用者が位置したときの利用者の頭部、特に髪の部分に、背面ストロボ１０１の照射面の中心が向くように設定されている。
【０１２１】
写真シール作成装置１の利用者は、女性が多く、女性が、最適撮影位置、例えば、マーク２８−１（図７）上に位置したときに、女性の頭部が位置する位置を仮定し、その仮定された頭部の位置に、背面ストロボ１０１の照射面の中心が向くように設定されている。
【０１２２】
また、写真シール作成装置１の撮影として、利用者の顔を主に撮影するアップ撮影と、利用者の全身を撮影する全身撮影が行われる場合、最適撮影位置は、アップ撮影時と全身撮影時とで異なる。最適撮影位置を示すマーク２８（図７）は、アップ撮影時に最適な撮影位置を表すマークであるとして説明を続ける。
【０１２３】
上記した仮定される女性の頭部の位置は、アップ撮影時に、平均身長の女性が少し屈んだときに頭部が位置する位置となっているので、平均よりも背の低い利用者であっても、適切な位置に頭部が位置するように撮影することができる。
【０１２４】
また、利用者が少し屈んだ姿勢のときの顔の高さは、カメラユニット８１のカメラ９１が位置する高さと略同じ高さとなっている。よって、カメラ９１が設置されている高さに、利用者の顔が位置したときが、最適撮影位置であるとも言える。
【０１２５】
図１２や図１３に示した角度は一例であり、限定を示すものではない。例えば、背面ストロボ１０１は、背面パネル５１と垂直方向に４５度±１５度（３０度〜６０度）の角度を有し、利用者側に照射面側が向くように設置されている。また例えば、背面ストロボ１０１は、側面と水平方向に５５度±１５度（４０度〜７０度）、背面パネル５１と３５度±１５度（２０度〜５０度）の角度を有し、利用者側に照射面側が向くように設置されている。
【０１２６】
背面ストロボ１０１の角度は、想定される利用者の人数や身長などに応じて、上記範囲内で調整されるようにすることができる。また背面ストロボ１０１の角度は、カメラ９１の撮像範囲内に、利用者の頭部が位置したとき、最適な光が照射される範囲内で調整される。
【０１２７】
このように、背面ストロボ１０１は、最適撮影位置に利用者が位置したときに、最適な光が利用者に照射される位置に設置されている。よって、利用者が最適撮影位置に移動して、撮影されるようにする必要がある。そこで、図７に示したように、床材２７には、床シート２７Ａが設置され、その床シート２７Ａには、撮影に最適な位置を示すマーク２８が印刷され、利用者に最適な撮影位置を明示している。
【０１２８】
さらに、マーク２８に利用者を確実に移動（立たせる）ために、図１４に示すような立ち位置案内画面がタッチパネルモニタ９２に表示されるようにしても良い。例えば、利用者が撮影空間に移動してきた後であり、アップ撮影が行われる前の時点で、図１４に示すような立ち位置案内画面が、タッチパネルモニタ９２に表示される。
【０１２９】
立ち位置案内画面の略中央部分には、床シート２７Ａ（の一部）を模写した画像（写真）５０１が表示される。画像５０１は、床シート２７Ａのマーク２８−１とマーク２８−２が少なくとも表示さている画像とされる。また、画像５０１の上側には、“足下にある□の上に立ってみて！”といった利用者に床シート２７Ａのマーク２８上に移動することを促すメッセージが表示される。
【０１３０】
また、画像５０１のマーク２８を模写した位置を指し示す矢印５０２も表示され、どの四角形に誘導しているのかをより明確に利用者に示す表示もなされている。
【０１３１】
このような立ち位置案内画面が、例えば、アップ撮影が開始されるときに表示されることで、利用者は、立ち位置を確認することができ、利用者自身は意識しなくても最適な撮影位置に立ち、撮影が行われるようにすることができる。
【０１３２】
このような立ち位置案内画面が表示されるようにし、利用者が最適撮影位置に位置したときに、背面ストロボ１０１からの光が、利用者に最適に照射される位置に、背面ストロボ１０１は、設置されている。
【０１３３】
また、撮影が行われるときには、タッチパネルモニタ９２に、その時点で撮影されている画像が表示される。よって、利用者は、どのように撮影されるのかを、タッチパネルモニタ９２に映し出されている画像を見ながら確認し、画面内に自己の顔が収まるように、自己の立ち位置や姿勢などを調整することができる。
【０１３４】
よって、アップ撮影時には、自己の顔が画面内に収まるように利用者が移動することで、最適撮影位置での撮影が行われるようにすることができる。
【０１３５】
よって、最適撮影位置を想定し、その最適撮影位置で利用者の頭部に光が照射されるように背面ストロボ１０１を設置しておけば、背面ストロボ１０１からの光を、最適に、利用者に照射することが可能となる。
【０１３６】
図１３を再度参照するに、例えば、２人の利用者が、写真シール作成装置１を利用しているとき、またその２人の利用者が、それぞれ最適撮影位置に位置しているときに、それぞれの利用者に対して、最適な光が、照射されるように、背面ストロボ１０１−１と背面ストロボ１０１−２は、それぞれ設置されている。
【０１３７】
ここで、図１３において、図中上側に位置する利用者を右利用者とし、図中下側に位置する利用者を左利用者とする。これは、撮影空間において、利用者が正面パネル４２側を向いて立っているとき、利用者にとって、右側を右、左側を左としているためであり、図１３においては、上側が右側に該当し、下側が左側に該当するからである。
【０１３８】
右利用者はマーク２８−１（図７）上に位置し、左利用者はマーク２８−２（図７）上に位置することで、最適撮影位置に位置している。このように利用者が最適撮影位置に位置しているとき、背面ストロボ１０１−１は、右利用者の頭部（主に髪の部分）に光を照射し、背面ストロボ１０１−２は、左利用者の頭部（主に髪の部分）に光を照射するような位置に、それぞれ背面ストロボ１０１−１と背面ストロボ１０１−２は、設置されている。
【０１３９】
すなわちこの場合、背面ストロボ１０１は、背面ストロボ１０１に近い側に位置している利用者に、最適に光を照射できる位置に設置されている。
【０１４０】
このような位置に、背面ストロボ１０１が設置されることで、図１５、図１６に示したような画像を得られる撮影を行うことができる。図１５は、右利用者と左利用者を撮影したときの画像の一例を表している。
【０１４１】
右利用者（図中右側に撮影されている利用者とする）の頭部（髪）の一部は、他の髪の部分と比べて光が強く照射され、光ったような状態で撮影されている。図１５では、光ったような状態を、斜線を入れて表現している。他の図面も、同様に表現する。
【０１４２】
同様に、左利用者（図中左側に撮影されている利用者とする）の頭部（髪）の一部は、他の髪の部分と比べて光が強く照射され、光ったような状態で撮影されている。
【０１４３】
模式的に表すと、図１６に示すようになる。図１６は、利用者の頭部を模式的に円形で示した。頭部５３１のうち、光ったような状態の部分を部分５３２とし、他の部分を部分５３３としている。図１６に示した状態は、背面ストロボ１０１が、利用者の右側（図中右側）に位置し、その背面ストロボ１０１から光が照射されるため、利用者の右側であり、上側の部分に光が当たり、光ったような状態の部分５３２として撮影される。
【０１４４】
背面ストロボ１０１からの光は、拡散光であり、背面ストロボ１０１の発光面の中心付近からの光が強く、中心付近から離れるほど光が弱くなる。このような拡散光が頭部，特に髪の部分に照射されることで、図１６に示したように、光ったような状態の部分５３２は、凸部５３２−１があるような形状となる。光ったような状態の部分５３２は、頭部の際部５３２−２と、凸部５３２−１から構成される。
【０１４５】
頭部の際部５３２−２は、頭部の上方にあり、背景と頭部との境目の領域にある髪の領域である。凸部５３２−１は、際部５３２−２から凸状になっている領域である。
【０１４６】
なお、ここでは説明のために、凸部５３２−１や際部５３２−２を図示し、説明を加えているが、実際に撮影された画像には、図１６に示したような部分５３２を表す線のようなはっきりとした境界線が存在しているわけではない。
【０１４７】
仮に、本技術を適用した背面ストロボ１０１ではなく、単に、利用者からの背面から、光を照射するようなストロボが用いられた場合、頭部の光ったような状態の部分５３２は、髪全体となり、髪全体が同様な光を放つような画像となり、のっぺりとした印象を与えるような画像になる可能性がある。
【０１４８】
または、頭部と背景の際の部分の髪が光っているような画像となり、際の部分のみが強調されたような画像となる可能性がある。
【０１４９】
本技術を適用した背面ストロボ１０１を用いた撮影によれば、凸部５３２−１と際部５３２−２がある光ったような状態の部分５３２を撮影することができる。よって、のっぺりとした画像ではなく、また際の部分だけ目立つような画像ではない画像を撮影することができる。
【０１５０】
換言すれば、髪に立体感を持たせた画像を撮影することができる。また換言すれば、髪に光が強く照射されている部分があることで、光輝いている部分がある撮影を行え、光り輝いている部分で、髪を綺麗に見せる効果を得ることができる撮影を行うことができる。
【０１５１】
さらに換言すれば、背面ストロボ１０１の照射方向に位置する髪の部分を強く照らし、かつ髪の部分全体の輪郭も明るく照らすことができる光を照射することができ、頭部全体として、より立体的に見える撮影画像を得ることができる。
【０１５２】
ところで、本技術の写真シール作成装置１においては、透光性を有する半透明なシール紙（以下、半透明シール紙という）に撮影画像（編集画像）が印刷される。
【０１５３】
以下においては、半透明シール紙に撮影画像を印刷する構成について説明する。
【０１５４】
＜本技術の写真シール作成装置の機能構成例＞
図１７は、半透明シール紙に撮影画像を印刷する、本技術の写真シール作成装置１の機能構成例を示す図である。
【０１５５】
図１７の写真シール作成装置１は、撮影処理部４０２、画像処理部６０１、印刷処理部４０４、およびプリンタ３５１から構成される。
【０１５６】
撮影処理部４０２は、図１１を参照して説明した撮影処理部４０２であり、利用者を被写体として撮影を行うことで、撮影画像を生成する。
【０１５７】
画像処理部６０１は、撮影画像に各種の画像処理を施す。具体的には、画像処理部６０１は、撮影画像のコントラストを調整する処理や、撮影画像に所定の色の背景画像を合成する処理を行う。画像処理部６０１は、撮影処理部４０２の一部として構成されてもよいし、編集処理部４０３（図１１）の一部として構成されてもよい。
【０１５８】
印刷処理部４０４は、図１１を参照して説明した印刷処理部４０４であり、プリンタ３５１を制御することで、透光性を有する半透明シール紙に撮影画像（編集画像）を印刷して出力する。
【０１５９】
＜半透明シール紙について＞
ここで、撮影画像が印刷される半透明シール紙の詳細について説明する。
【０１６０】
図１８は、撮影画像が印刷された半透明シール紙の例を示す図である。
【０１６１】
図１８に示されるように、半透明シール紙６１１には、１０枚の撮影画像が印刷されている。図１８の例では、半透明シール紙６１１の上半分と下半分それぞれに、同じシールレイアウトで５枚の撮影画像が配置されて印刷されている。
【０１６２】
印刷される前の半透明シール紙６１１は、透光性を有し、白色系の色に色付けされている。具体的には、印刷される前の半透明シール紙６１１は、半透明で乳白色に色付けされている。
【０１６３】
したがって、印刷される前の半透明シール紙６１１を、蛍光灯などの白色光源にかざした場合、半透明シール紙６１１は、全体的に白くにじんで見える。また、半透明シール紙６１１を透かして見た場合、半透明シール紙６１１から離れた位置にある物体は、視認できず、半透明シール紙６１１に近い位置にある物体は、視認できる程度にぼやけて見える。すなわち、半透明シール紙６１１は、光を透過し、濁っていない「透明な」シール紙とは異なる。
【０１６４】
図１８の例では、半透明シール紙６１１の背後にテーブルＴＢＬが置かれており、テーブルＴＢＬの半透明シール紙６１１に隠れた部分が、ぼやけて見える様子が示されている。
【０１６５】
図１９は、半透明シール紙６１１の構成例を示す図である。
【０１６６】
図１９に示されるように、半透明シール紙６１１は、シールシート６１１ａとシール台紙６１１ｂから構成され、シールシート６１１ａがシール台紙６１１ｂに貼着された状態で出力される。
【０１６７】
シールシート６１１ａは、撮影画像などが印刷される表面基材と、粘着剤からなる粘着層から構成される。一方、シール台紙６１１ｂは、シールシート６１１ａの粘着層を保護する剥離フィルムとして構成される。
【０１６８】
図１９の例では、シールシート６１１ａは、透光性を有し、白色系の色に色付けされており（半透明で乳白色に色付けされており）、シール台紙６１１ｂは、光を透過し、濁っていない無色透明に構成される。このような構成により、シールシート６１１ａの表面に印刷された撮影画像は、半透明シール紙６１１の表側から見た場合と裏側から見た場合とで、左右反転はするものの、ほぼ同じような見え方（印象）で見えるようになる。そのため、利用者は、撮影画像を左右反転させた場合にその撮影画像がどのように見えるかを確認したり、その見え方の微妙な違いを楽しんだりすることができる。
【０１６９】
また例えば、写真シール作成装置１において、撮影画像を、ライブビュー画像と同様、左右反転させ利用者自身が鏡に写ったようにして、半透明シール紙６１１に印刷させるようにしたとする。このような場合であっても、利用者は、半透明シール紙６１１の裏側から見ることで、通常印刷される、反転していない状態（カメラ９１側から被写体を見た状態）の撮影画像を確認することができる。
【０１７０】
＜半透明シール紙への印刷処理＞
次に、図２０のフローチャートを参照して、上述した半透明シール紙６１１への印刷処理の流れについて説明する。
【０１７１】
ステップＳ１１において、画像処理部６０１は、撮影処理部４０２により生成された撮影画像を取得する。取得される撮影画像の数は、撮影処理部４０２によって行われる撮影の回数に応じて決まる。
【０１７２】
ステップＳ１２において、画像処理部６０１は、取得した撮影画像のコントラストを調整する。具体的には、画像処理部６０１は、透光性を有しない不透明なシール紙（不透明シール紙）に撮影画像を印刷する場合と比べて、撮影画像のコントラストを高くするよう調整する。
【０１７３】
ステップＳ１３において、印刷処理部４０４は、プリンタ３５１が半透明シール紙６１１に撮影画像などを印刷する際の印刷濃度を調整する。具体的には、印刷処理部４０４は、不透明シール紙に撮影画像を印刷する場合と比べて、印刷濃度を高くするよう調整する。
【０１７４】
ステップＳ１４において、印刷処理部４０４は、コントラストが高く調整された撮影画像を、高く調整された印刷濃度で半透明シール紙６１１に印刷する。このとき、印刷処理部４０４は、半透明シール紙６１１に、下地となる不透明な下地画像を印刷することなく、撮影画像を印刷する。
【０１７５】
なお、複数枚の撮影画像は、例えば編集処理において利用者により選択されたシールレイアウトで、半透明シール紙６１１に印刷される。
【０１７６】
そして、印刷処理部４０４は、撮影画像を印刷した後、半透明シール紙６１１上に、表面加工として、無色透明のオーバーコート層を印刷して出力する。
【０１７７】
以上の処理によれば、撮影画像が、下地となる不透明な下地画像を印刷することなく、半透明シール紙に印刷される。これにより、シール紙の後方にある物体表面の色や模様によって、画像の細かい部分が見えにくくなったり、画像全体の印象が本来のものとは異なったりすることなく、シール紙に印刷された画像に適度な透明感をもたせることが可能となる。
【０１７８】
なお、撮影画像などが印刷された半透明シール紙を、利用者が手に取って眺めた場合、半透明シール紙が透光性を有することから、同じ撮影画像などが印刷された不透明シール紙と比べて（すなわち、通常の写真シール機のシール紙と比べて）、シール紙全体の発色や明暗のメリハリが抑えられて見えてしまう。つまり、利用者がゲーム中に見た画面上の撮影画像と比べても、半透明シール紙に印刷された撮影画像は、鮮やかさに欠けた印象を与えてしまう。
【０１７９】
一方、以上の処理によれば、通常の写真シール機のように不透明シール紙に撮影画像を印刷する場合と比べて、撮影画像が、そのコントラストが高くなるよう調整されるとともに、印刷濃度が高くなるよう調整されて、半透明シール紙に印刷される。これにより、半透明シール紙に印刷された撮影画像の色が、通常の写真シール機により不透明シール紙に印刷された場合の撮影画像の色に近づくように、シール紙全体の発色がよく、明暗のメリハリがついて見えるようになる。つまり、半透明シール紙に印刷された撮影画像の印象を、利用者がゲーム中に見た画面上の撮影画像のような、鮮やかさに満ちた印象に近づけることができる。
【０１８０】
また、半透明シール紙においては、シール紙全体の発色が抑えられることから、従来の不透明シール紙では極端に派手に見える色であっても、半透明シール紙では適度に鮮やかな色に見せることができる。したがって、シールレイアウトにおいて撮影画像が配置される領域以外の、シール紙の縁の領域についてのデザインの選択の幅を広げることができる。
【０１８１】
上述した印刷処理において、半透明シール紙６１１に撮影画像などを印刷した上に、さらに、機能性インキを用いた特殊な印刷を行うようにしてもよい。特殊な印刷としては、例えば、華やかさを強調するラメ印刷や、蓄光顔料を使用した蓄光印刷、真珠の表面のような光沢を出すパール印刷などがある。
【０１８２】
また、以上においては、撮影画像を印刷した後に、無色透明なオーバーコート層が印刷されるようにしたが、色付き透明なオーバーコート層が印刷されるようにしてもよい。例えば、ゲーム毎に、異なる色のオーバーコート層が印刷されるようにすることで、利用者は、ゲームをプレイする度に見た目の雰囲気の違うシール紙を得ることができる。
【０１８３】
なお、半透明シール紙６１１において、シールシート６１１ａをシール台紙６１１ｂから剥がす場合、シールシート６１１ａに印刷された撮影画像の領域毎に剥離できるようにしてもよい。これにより、利用者が、半透明シール紙６１１をシールとして貼り付け対象となる物体に貼り付けて利用する場合、半透明シール紙６１１をはさみなどで切り取る手間を省いて、簡単に利用することができる。
【０１８４】
＜半透明シール紙の他の構成例＞
以上においては、半透明シール紙６１１を構成するシールシート６１１ａが半透明で、シール台紙６１１ｂが無色透明であるものとしたが、シールシート６１１ａとシール台紙６１１ｂの少なくともいずれか一方が半透明であればよい。
【０１８５】
例えば、図２１に示されるように、シールシート６１１ａに加えて、シール台紙６１１ｂが半透明であってもよいし、図１９の例とは逆に、図２２に示されるように、シールシート６１１ａが無色透明で、シール台紙６１１ｂが半透明であってもよい。このような構成であっても、シール紙に印刷された画像に適度な透明感をもたせることができるとともに、半透明シール紙に印刷された撮影画像の印象を、利用者がゲーム中に見た画面上の撮影画像のような、鮮やかさに満ちた印象に近づけることができる。
【０１８６】
なお、半透明シール紙６１１の色は、乳白色であるものとしたが、白色系の色であればよく、淡いピンク色や水色などの色味を帯びた白色であってもよい。
【０１８７】
さらに、シールシート６１１ａが半透明な場合、シール台紙６１１ｂとして、あらかじめ所定の模様や柄が印刷されたシール台紙が用いられるようにしてもよい。この場合、シール台紙６１１ｂの模様や柄が、半透明なシールシート６１１ａから透けて（ぼやけて）見えるようになる。このような構成により、利用者は、シールシート６１１ａをシール台紙６１１ｂから剥がさないでいる状態と、シールシート６１１ａをシール台紙６１１ｂから剥がして貼り付け対象となる物体に貼り付けた状態とで、その見た目の変化を楽しむことができる。
【０１８８】
＜白色を顕示する構成＞
上述したように、半透明シール紙６１１は、半透明で乳白色に色付けされている。利用者が、印刷後の半透明シール紙６１１を光にかざして見た場合、撮影画像内の白色の領域は、色がほとんど印刷されないため、撮影画像内の他の色の領域と比べて、より強い透明感を与えることができる。したがって、撮影画像において、白色系の色の領域を多くして顕示する（強調する）ことによって、シール紙に印刷された画像の透明感を際立たせることができる。
【０１８９】
そこで、以下においては、撮影画像において、白色系の色を顕示する構成（顕示手段）について説明する。
【０１９０】
（背面ストロボ）
図１２乃至図１６を参照して説明したように、本実施の形態の写真シール作成装置１には、撮影の際に、利用者の身体の少なくとも一部を照射する照明装置として、背面ストロボ１０１（１０１−１，１０１−２）が設けられている。
【０１９１】
特に、図１６を参照して説明したように、背面ストロボ１０１によれば、利用者の後方斜め上からその頭部に光が照射することで、利用者の髪（頭部）の一部分（凸部５３２−１に対応）と、頭部の輪郭部分（際部５３２−２に対応）とが明るく照らされる。
【０１９２】
これにより、撮影画像の人物領域（頭部）において、白色系の色の領域を強調することができ、シール紙に印刷された画像の透明感を際立たせることができる。
【０１９３】
また、上述したように、画像処理部６０１によって、撮影画像のコントラストが高くなるよう調整されることで、撮影画像の明暗のメリハリがつくので、撮影画像における白黒の差が強調されるようになる。これにより、撮影画像における白色系の色の領域（頭部）がより強調されるので、シール紙に印刷された撮影画像の透明感を一層際立たせることができる。
【０１９４】
なお、背面ストロボ１０１からの光に限らず、上ストロボユニット８２からの光により、利用者の顔を明るく照らすことで、撮影画像の顔領域において、白色系の色の領域を多くして顕示する（強調する）ようにしてもよい。
【０１９５】
（背面パネル）
図６を参照して説明したように、写真シール作成装置１において、背景部２２の背面パネル５１には、白色のシート１２１が貼り付けられている。上述したように、シート１２１の色は、白色に限らず、例えば、明るい灰色などでも良く、反射率の高い色、すなわち白色系の色とすることができる。
【０１９６】
これにより、撮影画像における背景領域に、クロマキ合成により背景画像を合成する処理を行うことなく、撮影画像の背景領域において、白色系の色の領域を強調することができ、シール紙に印刷された画像の透明感を際立たせることができる。
【０１９７】
特に、白色の背面パネルと背面ストロボを組み合わせることによって、白色系の色の領域を連続させて（すなわち、人物領域の頭部と背景領域の境界を無くして）広げることができるので、シール紙に印刷された画像の透明感を一層際立たせることができる。
【０１９８】
また、上述したように、画像処理部６０１によって、撮影画像のコントラストが高くなるよう調整されることで、撮影画像の明暗のメリハリがつくので、撮影画像における白黒の差が強調されるようになる。これにより、撮影画像における白色系の色の領域（背景領域）がより強調されるので、シール紙に印刷された撮影画像の透明感を一層際立たせることができる。
【０１９９】
なお、シールレイアウトにおいて撮影画像が配置される領域以外の、シール紙の縁の領域の色を、派手に見える色とすることで、半透明シール紙６１１全体を、白色が強調され過すぎない、バランスのとれた明るさの印象を与えるようにすることができる。
【０２００】
（その他の手段）
以上においては、撮影画像における背景領域に背景画像をクロマキ合成する処理は行われないものとしたが、シート１２１の色を、クロマキ合成可能な緑色などの色とすることで、背景画像をクロマキ合成する処理が行われるようにしてもよい。
【０２０１】
この場合、図２３に示されるように、背景領域が緑色の撮影画像６３１に対して、白色系の色の背景画像６３２を合成することで、背景領域が白色系の色の撮影画像６４１が得られる。この場合、利用者により選択可能な背景画像として、白色系の色の背景画像６３２が多く用意されるようにする。
【０２０２】
これにより、クロマキ合成が行われる写真シール機においても、撮影画像の背景領域において、白色系の色の領域を強調することができ、シール紙に印刷された画像の透明感を際立たせることができる。
【０２０３】
さらに、撮影画像に写る人物の髪に艶をつける画像処理が行われるようにしてもよい。
【０２０４】
具体的には、撮影画像における髪の領域（髪領域）を特定し、その髪領域内の所定の領域の明るさ（明度または輝度）を、他の領域の明るさより高くする。ここで、所定の領域とは、頭頂部で円を描くような領域とされる。これにより、撮影画像における髪に、天使の輪のような明るい領域が作り出され、撮影画像に写る人物の髪を、艶のある髪に見せることができる。
【０２０５】
これにより、上述のようにして作り出された明るい領域は、明るくする前と比べてより白色に近い色となるので、撮影画像の髪領域において、白色系の色の領域を強調することができ、シール紙に印刷された画像の透明感を際立たせることができる。
【０２０６】
また、上述したように、画像処理部６０１によって、撮影画像のコントラストが高くなるよう調整されることで、撮影画像の明暗のメリハリがつくので、撮影画像における白黒の差が強調されるようになる。これにより、撮影画像における白色系の色の領域（背景領域や髪領域）がより強調されるので、シール紙に印刷された撮影画像の透明感を一層際立たせることができる。
【０２０７】
（携帯端末に提供される画像）
従来の写真シール機においては、画像取得サイト管理サーバを介し、利用者の携帯端末に提供される撮影画像（編集画像）は、透過度が設定されていない不透明な画像であった。
【０２０８】
そこで、本実施の形態の写真シール作成装置１においては、利用者の携帯端末に提供される撮影画像を、透過度が設定された透過画像としてもよい。この場合、例えば、携帯端末上で実行されるＳＮＳ（Social Networking Service）用のアプリケーションにおけるプロフィール画像として、透過度が設定された撮影画像を用いることで、特別な加工をせずとも、撮影画像を、背景の色になじませることができる。
【０２０９】
上述した実施の形態では、写真シール作成装置１は、得られた撮影画像や編集画像をシール紙に印刷するとともに、画像取得サイト管理サーバに送信することで利用者の携帯端末に提供する構成を採るものとした。これに限らず、撮影画像や編集画像をシール紙に印刷せずに、画像取得サイト管理サーバに送信することで利用者の携帯端末に提供するのみの構成を採ることも可能である。また逆に、撮影画像や編集画像を画像取得サイト管理サーバに送信せずに、シール紙に印刷するのみの構成を採ることも可能である。
【０２１０】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２１１】
この記録媒体は、例えば、図１０に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア３１９により構成される。また、これらだけでなく、記録媒体は、装置本体にあらかじめ組み込まれた状態で管理者に配信されるプログラムが記録されているROM３１２や、記憶部３１６に含まれるハードディスクなどで構成される。
【０２１２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２１３】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０２１４】
また、本技術の実施の形態は、上述した実施の形態に限定されるものではなく、本技術の要旨を逸脱しない範囲において種々の変更が可能である。
【０２１５】
なお、本明細書に記載された効果はあくまで例示であって限定されるものではなく、他の効果があってもよい。
【符号の説明】
【０２１６】
１  写真シール作成装置
４０１  事前選択処理部
４０２  撮影処理部
４０３  編集処理部
４０４  印刷処理部
６０１  画像処理部
【図１】
2019109288.tif 000003
【図２】
2019109288.tif 000004
【図３】
2019109288.tif 000005
【図４】
2019109288.tif 000006
【図５】
2019109288.tif 000007
【図６】
2019109288.tif 000008
【図７】
2019109288.tif 000009
【図８】
2019109288.tif 000010
【図９】
2019109288.tif 000011
【図１０】
2019109288.tif 000012
【図１１】
2019109288.tif 000013
【図１２】
2019109288.tif 000014
【図１３】
2019109288.tif 000015
【図１４】
2019109288.tif 000016
【図１５】
2019109288.tif 000017
【図１６】
2019109288.tif 000018
【図１７】
2019109288.tif 000019
【図１８】
2019109288.tif 000020
【図１９】
2019109288.tif 000021
【図２０】
2019109288.tif 000022
【図２１】
2019109288.tif 000023
【図２２】
2019109288.tif 000024
【図２３】
2019109288.tif 000025
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
シール紙を出力する写真シール作成装置であって、
利用者を被写体として撮影を行うことで撮影画像を生成する撮影処理部と、
透光性を有する前記シール紙に、下地となる不透明な下地画像を印刷することなく、前記撮影画像を印刷して出力する印刷処理部と
を備え、
前記シール紙は、シール台紙と、前記シール台紙に貼着されたシールシートとから構成され、
前記シールシートは半透明で、かつ、前記シール台紙は透明である
写真シール作成装置。
【請求項２】
前記シールシートは、白色系の色である
請求項１に記載の写真シール作成装置。
【請求項３】
撮影が行われる撮影空間において、前記利用者の背景に設けられる白色系の背面パネルをさらに備える
請求項１または２に記載の写真シール作成装置。
【請求項４】
撮影の際に、前記利用者の身体の少なくとも一部を所定の方向から照射する照明装置をさらに備える
請求項１または２に記載の写真シール作成装置。
【請求項５】
前記撮影画像における背景領域に、クロマキ合成により白色系の背景画像を合成する第１の画像処理部をさらに備える
請求項１または２に記載の写真シール作成装置。
【請求項６】
透光性を有しない不透明シール紙に前記撮影画像が印刷される場合と比べて、前記撮影画像のコントラストを高くするよう調整する第２の画像処理部をさらに備える
請求項１乃至５のいずれかに記載の写真シール作成装置。
【請求項７】
前記印刷処理部は、透光性を有しない不透明シール紙に前記撮影画像が印刷される場合と比べて、印刷濃度を高くするよう調整して、透光性を有する前記シール紙に前記撮影画像を印刷する
請求項１乃至６のいずれかに記載の写真シール作成装置。
【請求項８】
シール紙を出力する写真シール作成装置が、
利用者を被写体として撮影を行うことで撮影画像を生成し、
透光性を有する前記シール紙に、下地となる不透明な下地画像を印刷することなく、前記撮影画像を印刷して出力する
ステップを含み、
前記シール紙は、シール台紙と、前記シール台紙に貼着されたシールシートとから構成され、
前記シールシートは半透明で、かつ、前記シール台紙は透明である
印刷方法。
【請求項９】
コンピュータに、
利用者を被写体として撮影を行うことで撮影画像を生成し、
透光性を有するシール紙に、下地となる不透明な下地画像を印刷することなく、前記撮影画像を印刷して出力する
処理を実行させ、
前記シール紙は、シール台紙と、前記シール台紙に貼着されたシールシートとから構成され、
前記シールシートは半透明で、かつ、前記シール台紙は透明である
プログラム。
【手続補正２】
【補正対象書類名】明細書
【補正対象項目名】０００８
【補正方法】変更
【補正の内容】
【０００８】
本技術の写真シール作成装置は、シール紙を出力する写真シール作成装置であって、利用者を被写体として撮影を行うことで撮影画像を生成する撮影処理部と、透光性を有する前記シール紙に、下地となる不透明な下地画像を印刷することなく、前記撮影画像を印刷して出力する印刷処理部とを備え、前記シール紙は、シール台紙と、前記シール台紙に貼着されたシールシートとから構成され、前記シールシートは半透明で、かつ、前記シール台紙は透明である。
【手続補正３】
【補正対象書類名】明細書
【補正対象項目名】０００９
【補正方法】変更
【補正の内容】
【０００９】
本技術の印刷方法は、シール紙を出力する写真シール作成装置が、利用者を被写体として撮影を行うことで撮影画像を生成し、透光性を有する前記シール紙に、下地となる不透明な下地画像を印刷することなく、前記撮影画像を印刷して出力するステップを含み、前記シール紙は、シール台紙と、前記シール台紙に貼着されたシールシートとから構成され、前記シールシートは半透明で、かつ、前記シール台紙は透明である。
【手続補正４】
【補正対象書類名】明細書
【補正対象項目名】００１０
【補正方法】変更
【補正の内容】
【００１０】
本技術のプログラムは、コンピュータに、利用者を被写体として撮影を行うことで撮影画像を生成し、透光性を有するシール紙に、下地となる不透明な下地画像を印刷することなく、前記撮影画像を印刷して出力する処理を実行させ、前記シール紙は、シール台紙と、前記シール台紙に貼着されたシールシートとから構成され、前記シールシートは半透明で、かつ、前記シール台紙は透明である。
【手続補正５】
【補正対象書類名】明細書
【補正対象項目名】００１１
【補正方法】変更
【補正の内容】
【００１１】
本技術の一側面においては、利用者を被写体として撮影を行うことで撮影画像が生成され、透光性を有する前記シール紙に、下地となる不透明な下地画像を印刷することなく、前記撮影画像が印刷されて出力される。前記シール紙は、シール台紙と、前記シール台紙に貼着されたシールシートとから構成され、前記シールシートは半透明とされ、かつ、前記シール台紙は透明とされる。